(57)【要約】【課題】調光／調色による不揮発性メモリの書き込み回数が過度に増えないようにする。【解決手段】照明器具１０の制御部２２は、不揮発性メモリ２３ｃに記憶された発光態様情報を揮発性メモリ２３ｅに読み出し、読み出した発光態様情報に基づいて光源Ｒを制御するとともに、光源Ｒの制御状況に応じて揮発性メモリ２３ｅの発光態様情報を更新する。さらに、制御部２２は、光源Ｒへの供給電力の低下及び光源Ｒの異常の少なくとも一方を検出した場合に、揮発性メモリ２３ｅに記憶されている更新された発光態様情報を不揮発性メモリ２３ｃに記憶させる。【選択図】図４
2019175639.tif 000002
【特許請求の範囲】
【請求項１】
外部から、光源の発光態様情報を含む指示信号を受ける通信部と、
前記通信部で受けた発光態様情報が記憶される不揮発性メモリと、揮発性メモリとを有する記憶部と、
前記不揮発性メモリに記憶された発光態様情報を前記揮発性メモリに読み出し、該読み出した発光態様情報に基づいて光源を制御するとともに、該光源の制御状況に応じて前記揮発性メモリの発光態様情報を更新し、前記光源への供給電力の低下及び前記光源の異常の少なくとも一方を検出した場合に、前記揮発性メモリに記憶されている前記更新された発光態様情報を前記不揮発性メモリに記憶させる制御部とを備える
照明器具。
【請求項２】
前記制御部は、前記指示信号として、前記更新された発光態様情報の返信要求を受けた場合に、前記揮発性メモリに記憶されている前記更新された発光態様情報を前記不揮発性メモリに記憶させる
請求項１記載の照明器具。
【請求項３】
前記制御部は、前記光源と共通の電源から電力を供給され、
前記電源と前記制御部との間に設けられ、前記光源への供給電力が停止した場合に、前記制御部への電力の供給を継続する蓄電素子を備える
請求項１又は２に記載の照明器具。
【請求項４】
請求項１から３のうちのいずれか１項に記載の照明器具と、
前記照明器具に前記指示信号を送信する動作指示部とを備える
照明システム。
【請求項５】
前記動作指示部は、前記照明器具に内蔵されている
請求項４の照明システム。
【発明の詳細な説明】
【技術分野】
【０００１】
本発明は、照明器具及びそれを用いた照明システムに関する。
【背景技術】
【０００２】
近年、サーカディアンリズム等の人間の生体リズムに応じた照明制御や、センサーに連動した照明制御のように、省エネや人に快適な空間を提供するために、頻繁に調光、調色が求められる場面が多くなっている。
【０００３】
特許文献１では、生体リズムに好ましい光環境と省エネルギー化とを両立させるために、正午付近まで高相関色温度、高照度の光を照射し、午後に低相関色温度、低照度の光に徐々に移行させる技術が開示されている。
【先行技術文献】
【特許文献】
【０００４】
【特許文献１】特開２０１３−１８２８２０号公報
【発明の概要】
【発明が解決しようとする課題】
【０００５】
ところで、照明制御分野の通信規格において、照明制御を行う際に制御情報（調光／調色レベル情報 等）を不揮発性メモリに記録することを求めるものが存在する（例えば、ＤＡＬＩ（Digital Addressable Lighting Interface）規格）。
【０００６】
このような通信規格において、頻繁に調光／調色が行われると、不揮発性メモリの書き込み回数が膨大なものとなり、不揮発性メモリの短寿命化やデータ喪失リスクの問題がある。
【０００７】
本開示の技術は、上記問題に鑑みてなされたものであり、頻繁な調光／調色が行われても不揮発性メモリの書き込み回数が膨大にならないようにすることを目的とする。
【課題を解決するための手段】
【０００８】
上記課題を解決するために、本発明の一実施形態に係る照明器具は、外部から、光源の発光態様情報を含む指示信号を受ける通信部と、前記通信部で受けた発光態様情報が記憶される不揮発性メモリと、揮発性メモリとを有する記憶部と、前記不揮発性メモリに記憶された発光態様情報を前記揮発性メモリに読み出し、該読み出した発光態様情報に基づいて光源を制御するとともに、該光源の制御状況に応じて前記揮発性メモリの発光態様情報を更新し、前記光源への供給電力の低下及び前記光源の異常の少なくとも一方を検出した場合に、前記揮発性メモリに記憶されている前記更新された発光態様情報を前記不揮発性メモリに記憶させる制御部とを備える。
【発明の効果】
【０００９】
本発明によると、調光／調色による不揮発性メモリの書き込み回数が過度に増えないようにすることできる。
【図面の簡単な説明】
【００１０】
【図１】照明システムの概略構成図
【図２】照明システムの概略構成を示すブロック図
【図３】照明器具の動作を示すフローチャート
【図４】光源の光出力の制御について示すフローチャート
【図５】異常検出時の動作例を示すフローチャート
【図６Ａ】状態問合わせ信号受信時の動作例を示すタイミングチャート
【図６Ｂ】状態問合わせ信号受信時の動作例を示すタイミングチャート
【図７】照明システムの他の例を示す概略構成図
【図８】照明システムの他の例を示す概略構成図
【図９】照明システムの他の例を示すブロック図
【発明を実施するための形態】
【００１１】
以下、本発明の各実施形態を図面に基づいて詳細に説明する。以下の各実施形態の説明は、本質的に例示に過ぎず、本発明、その適用物或いはその用途を制限することを意図するものではない。
【００１２】
−照明器具及び照明システムの構成−
図１は実施形態に係る照明システムの概略構成図である。図２は実施形態に係る照明システムのブロック構成図である。
【００１３】
図１に示すように、照明システムＡは、少なくとも１つの照明器具１０と、各照明器具１０に動作を指示する指示信号ＣＳを送信する動作指示部としての外部コントローラ８とを備える。
【００１４】
外部コントローラ８は、有線、又は、無線を介して、ユーザー信号ＵＳを取得する。ユーザー信号ＵＳとは、指示信号ＣＳの基礎となる情報であり、例えば、ユーザーから取得することができる。ユーザー信号ＵＳには、例えば、ユーザーが、リモコン、スマートフォン等の操作端末９１やパソコン９３（後述する図７参照）等から設定した設定信号、人感センサ９２等の各種センサで取得された検出信号、タイマー設定信号が含まれる。なお、図１では、操作端末９１や人感センサ９２と、外部コントローラ８とが別々に設けられている例を示しているが、外部コントローラ８が操作端末９１や人感センサ９２に内蔵されていてもよい。
【００１５】
外部コントローラ８と各照明器具１０との間は、双方向通信又は半二重通信ができるように接続される。なお、外部コントローラ８と各照明器具１０との間の通信方式は、特に限定されず、有線、無線のどちらでもよい。図１では、外部コントローラ８と各照明器具１０とが信号線ＬＳで有線接続されている例を示している。
【００１６】
指示信号ＣＳは、例えば、光源制御（例えば、調光制御／調色制御等）のための調光・調色指示信号、光源設定を変更するための構成設定指示信号、照明器具の状態確認のための状態問合わせ信号を含む。なお、指示信号ＣＳは、上記例示したものに限定されず、照明器具１０に所望の動作を指示する他の信号であってもよい。
【００１７】
図２に示すように、外部コントローラ８は、ユーザーから与えられたユーザー信号ＵＳを取得するユーザー信号取得部８１と、取得したユーザー信号ＵＳに基づいて指示信号ＣＳを生成する指示信号生成部８２と、生成された指示信号を各照明器具１０に送信する送信部８３とを備える。
【００１８】
照明器具１０は、通信部３１と、マイクロコントローラ２０（以下、単にマイコン２０という）と、光源制御部３０と、ＡＣ電源検出部３２と、異常検出部３３と、調光信号生成部３４と、蓄電素子３５を備える。そして、照明器具１０では、外部コントローラ８から送信された指示信号ＣＳを読み込み、指示信号ＣＳの内容に基づいて光源Ｒの制御、光源Ｒの設定変更、及び／又は、状態問い合わせに対する返信等を行う。
【００１９】
以下において、具体的に説明する。
【００２０】
通信部３１は、外部コントローラ８から指示信号ＣＳを受け、マイコン２０が読み取れる形式に変換する。
【００２１】
マイコン２０は、周辺ブロックに接続される入出力部２１と、制御部としてのＣＰＵ２２（Central Processing Unit）と、記憶部としてのメモリ部２３とを備える。通信部３１が外部コントローラ８から受けた指示信号ＣＳは、入出力部２１を介してマイコン２０に伝達される。
【００２２】
メモリ部２３は、プログラム格納ＲＯＭ２３ａ（Read Only Memory）及びデータ格納ＲＯＭ２３ｂを含む不揮発性メモリ部２３ｃと、ＲＡＭ２３ｄを含む揮発性メモリ部２３ｅとを備える。
【００２３】
ＣＰＵ２２は、不揮発性メモリ部２３ｃのプログラム格納ＲＯＭ２３ａに格納された各種プログラムを内部のレジスタ２２ａに読み込み、そのプログラムにしたがって照明器具１０全体の動作制御を行う。なお、本実施形態の照明器具１０は、ＣＰＵ２２が行う制御に特徴があり、後述する「照明器具及び照明システムの動作」において具体的に説明する。
【００２４】
光源制御部３０は、ＡＣ電源Ｅ（例えば、商用電源）と光源Ｒとの間に設けられていて、ＣＰＵ２２の制御を受けて光源Ｒの制御（例えば、点灯／消灯の制御、調光制御、調色制御等）を実施する。具体的には、ＣＰＵ２２により指示信号ＣＳに含まれる各種制御情報が解読され、その解読結果に基づく調光レベル信号が入出力部２１を介して調光信号生成部３４に与えられる。そして、調光信号生成部３４では、調光レベル信号に基づいて調光制御信号を生成し、光源制御部３０を介して光源Ｒの光出力を制御する。
【００２５】
ＡＣ電源検出部３２は、ＡＣ電源Ｅから光源Ｒ及びマイコン２０への電源供給が順調に行われているかを判断する。具体的に、ＡＣ電源検出部３２は、例えば、ＡＣ電源Ｅの供給電圧がからあらかじめ定められた所定の閾値を超える場合に、ＡＣ電源Ｅがオンしていると判定する。また、例えば、所定の閾値未満の状態が所定時間以上継続した場合に、ＡＣ電源Ｅがオフされていると判断する。なお、ＡＣ電源Ｅのオン／オフ判定の方法は、上記に限定されず、任意に設定することができる。
【００２６】
そして、ＡＣ電源検出部３２は、ＡＣ電源Ｅがオフ状態だと判断すると、ＡＣ電源ＯＦＦ信号を出力する。なお、ＡＣ電源検出部３２は、通常動作後に正常に電源がオフされた場合にも、そのオフ状態を検出し、ＡＣ電源ＯＦＦ信号を出力する。
【００２７】
ＡＣ電源検出部３２から出力されたＡＣ電源ＯＦＦ信号は、マイコン２０の入出力部２１を介してＣＰＵ２２に伝達される。
【００２８】
異常検出部３３は、光源故障、通信線故障、過電流等の異常（以下、単に異常等という）が発生した場合に、その異常等を検出する機能を有する。異常検出部３３の異常検出結果を示す異常検出信号は、マイコン２０の入出力部２１を介してＣＰＵ２２に伝達される。
【００２９】
マイコン２０と光源Ｒとは、共通のＡＣ電源Ｅから電力供給を受けており、ＡＣ電源Ｅとマイコン２０との間を接続する電源線Ｌ２には、蓄電素子３５が設けられている。蓄電素子３５は、ＡＣ電源Ｅの供給時に充電され、停電等によりＡＣ電源Ｅの電力供給が停止した場合に、マイコン２０に電源を供給する。これにより、あらかじめ設計された所定期間、継続してマイコン２０を動作させることができる。詳細は後述するが、このような構成にすることで、ＡＣ電源Ｅが停止した場合においても、ＣＰＵ２２がデータ格納ＲＯＭ２３ｂにデータを格納する時間を確保することができる。
【００３０】
なお、ＡＣ電源検出部３２及び異常検出部３３には、従来から知られている回路を適用することができるので、ここではその具体的構成に関する詳細説明を省略する。
【００３１】
−照明器具及び照明システムの動作−
次に、図３から図６を参照しつつ、照明器具１０及び照明システムＡの動作について具体的に説明する。図３は、照明器具１０及び照明システムＡの全体の動作を示すフローチャートである。また、図４から図６は、図３のステップＳ１４からステップ１８における処理の詳細を示すフローチャートである。
【００３２】
（１．通常動作）
まず、図３を参照しつつ、通常の調光動作について説明する。
【００３３】
なお、以下の説明では、調光レベルとして、０〜２５４で表される数値を用いるものとして説明する。そして、例えば、調光レベルと調光率（０〜１００％）とが、設計時に設定された調光テーブル（図示省略）で紐付けされ、調光レベルが決まると調光率が一意に定まるようになっている。
【００３４】
また、ここでは詳細に説明しないが、調色時の動作についても同様である。すなわち、調色動作において、調色レベルが０〜２５４で表され、調色レベルと調色率とが所定の調色テーブル（図示省略）で紐付けされる。
【００３５】
ステップＳ１１において、照明器具１０の電源が投入されると、リセット信号が照明器具１０を構成する各種ハードウェアに与えられ、各種ハードウェアがリセットされる。同様に、ＣＰＵ２２の初期化や各種変数の初期化を含むマイコン２０の初期化（ステップＳ１２）が行われる。図３のフローの中で、ウォッチドックタイマリセットのようなソフトウェアリセットが入力された場合についても同様である。
【００３６】
ステップＳ１３では、ＡＣ電源検出部３２の検出結果に基づいて、ＡＣ電源ＥのＯＮ検出が行われる。そして、ＡＣ電源Ｅがオンされると（Ｓ１３でＹＥＳ）、ＣＰＵ２２は、光出力を許可する。具体的に、ＣＰＵ２２（以下、単にＣＰＵともいう）は、外部コントローラ８から受けた指示信号ＣＳや自機の制約にしたがって調光信号生成部３４を介して光源制御部３０を制御することにより、光源Ｒに所望の光出力をさせる。
【００３７】
以下、図４を参照しつつ、ステップＳ１４の光出力の制御について詳細に説明する。
【００３８】
ステップＳ２１において、外部コントローラ８は、ユーザーが設定した調光率に基づいて、指示信号ＣＳを生成し、照明器具１０に送信する。
【００３９】
照明器具１０の通信部３１で受信された指示信号ＣＳは、入出力部２１でデコードされ、ＣＰＵ２２により、内部レジスタ２２ａに格納される（ステップＳ３１）。
【００４０】
さらに、ステップＳ３２において、ＣＰＵ２２は、不揮発性メモリ部２３ｃのプログラム格納ＲＯＭ２３ａ（以下、単にプログラム格納ＲＯＭ２３ａという）から指示信号解読プログラムを読み込む。そして、ＣＰＵ２２は、指示信号ＣＳをデコードし、ユーザーが設定した調光レベル（以下、「設定調光レベル」という）を明らかにする。
【００４１】
ステップＳ３３では、「設定調光レベル」を揮発性メモリ部２３ｅのＲＡＭ２３ｄ（以下、単にＲＡＭ２３ｄという）に割り当てられている「目標調光レベル」の変数領域に保存する。
【００４２】
ステップＳ３４では、ＲＡＭ２３ｄに格納されている「現点灯調光レベル」のデータと「目標調光レベル」のデータを比較する。「現点灯調光レベル」とは、その時点での光源の光出力量を示すデータであり、調光信号生成部３４が生成する調光制御信号の基礎となる情報である。「目標調光レベル」とは、調光レベルの目標データである。
【００４３】
ステップＳ３４において、「現点灯調光レベル」のデータと「目標調光レベル」のデータとが互いに異なる場合（Ｓ３４でＹＥＳ）、ＣＰＵ２２は、ＲＡＭ２３ｄの「最終目標調光レベル」の変数の値を「目標調光レベル」のデータに更新する（ステップＳ３５）。一方で、ステップＳ３４において、「現点灯調光レベル」と「目標調光レベル」とが互いに等しい場合（Ｓ３４でＮＯ）、ＣＰＵ２２は何もせずに、フローは次のステップＳ３６に進む。
【００４４】
次に、ＣＰＵ２２は、ＲＡＭ２３ｄに保存された「現点灯調光レベル」のデータと「最終目標調光レベル」のデータの差分に基づいて、「現点灯調光レベル」のデータを更新する。
【００４５】
ここで、「フェード調光あり」の場合（Ｓ３６でＹＥＳ）、ＣＰＵ２２は、単位時間当たりの「調光レベル変動値」を求め、所定時間毎にその値を「現点灯調光レベル」のデータに加減算する。そして、ＲＡＭ２３ｄの「現点灯調光レベル」の変数の値を順次更新しながら、「現点灯調光レベル」のデータを「最終目標調光レベル」のデータに近づけていく（ステップＳ３７）。これにより、フェード調光が行われる。なお、フェード調光の具体的な手法は、従来技術を適用することができるので、ここでは、その詳細説明を省略する。
【００４６】
一方で、「フェード調光なし」の場合（ステップＳ３６でＮＯ）、ＣＰＵ２２は、「現点灯調光レベル」の変数の値を「目標調光レベル」のデータに更新する。
【００４７】
そして、ＣＰＵ２２では、更新された「現点灯調光レベル」に基づいて生成した指示信号を調光信号生成部３４に送信する（ステップＳ３９）。
【００４８】
調光信号生成部３４は、ＣＰＵ２２から受けた指示信号に基づいて生成した調光制御信号を光源制御部３０に送信する。光源制御部３０では、調光信号生成部３４から受けた調光制御信号に基づいて光源Ｒの光出力を制御する。なお、調光信号生成部３４から送信される調光制御信号の形式は特に限定されない。例えば、ＰＷＭ（Pulse Width Modulation)信号であってもよいし、任意に設定されたデジタル制御信号であってもよい。
【００４９】
なお、通常動作中、すなわち、異常検出及びＡＣ電源のＯＦＦ検出がともにされていない場合には、図３のステップＳ１５，Ｓ１６においてＮＯ判定となるので、照明器具１０では、外部コントローラ８からの調光指示を受けるたびに、上記の調光動作（ステップＳ２１からの動作）が実行される。
【００５０】
−２．異常検出時の動作−
次に、上記「１．通常動作」中に異常検出部３３で異常が検出された場合の動作について、図３及び図５を参照しつつ説明する。
【００５１】
異常検出部３３で異常が検出されると、図３のステップＳ１６でＹＥＳ判定となり、異常検出部３３は、入出力部２１を介して異常検出信号をＣＰＵ２２に送信する（図５のステップＳ５１に相当）。ＣＰＵ２２では、異常検出信号を受けてレジスタ２２ａに異常検出フラグがセットされ、プログラム格納ＲＯＭ２３ａから異常検出プログラムを読み込む（図５のステップＳ６１に相当）。そして、ＣＰＵ２２は、異常検出プログラムにしたがって、調光信号生成部３４を介して光源Ｒの光出力を停止させるとともに、ＡＣ電源Ｅの供給をブロックする（図３のステップＳ１７）。
【００５２】
そうすると、ＡＣ電源検出部３２においてＡＣ電源Ｅのオフ状態が検出され（図３のステップＳ１５でＹＥＳ）、ＣＰＵ２２にＡＣ電源ＯＦＦ信号が送信される。
【００５３】
ＣＰＵ２２では、ＡＣ電源ＯＦＦ信号を受信すると、異常検出プログラムにしたがって、ＲＡＭ２３ｄの「最終目標調光レベル」の値を、データ格納ＲＯＭ２３ｂの「最終調光レベル」の変数として書き込む（図３のステップＳ１８及び図５のステップＳ６３に相当）。
【００５４】
その後、ＣＰＵ２２を含むマイコン２０が初期化され、処理が終了する。このように、ＲＡＭ２３ｄの「最終目標調光レベル」の値を、データ格納ＲＯＭ２３ｂの「最終調光レベル」の変数として書き込んでからマイコン２０を初期化することにより、次回の起動時に、異常が検出された直前の状態から光源Ｒに光出力をさせることができる。
【００５５】
−３．ＡＣ電源ＯＦＦ検出時の動作−
次に、上記「１．通常動作」中にＡＣ電源Ｅのオフ状態が検出された場合の動作について、図３及び図５を参照しつつ説明する。
【００５６】
ＡＣ電源Ｅのオフ状態が検出されると（図３のステップＳ１５でＹＥＳ判定）、ＡＣ電源検出部３２は、入出力部２１を介してＣＰＵ２２にＡＣ電源ＯＦＦ信号を送信する（図５のステップＳ５１に相当）。
【００５７】
ＣＰＵ２２では、ＡＣ電源ＯＦＦ信号を受けてレジスタ２２ａに異常検出フラグがセットされ、プログラム格納ＲＯＭ２３ａから異常検出プログラムを読み込む（図５のステップＳ６１，Ｓ６２に相当）。
【００５８】
そして、ＣＰＵ２２は、異常検出プログラムにしたがって、ＲＡＭ２３ｄの「最終目標調光レベル」のデータを、データ格納ＲＯＭ２３ｂの「最終調光レベル」の変数として書き込む（図３のステップＳ１８及び図５のステップＳ６３に相当）。
【００５９】
その後、ＣＰＵ２２を含むマイコン２０が初期化され、処理が終了する。これにより、異常検出時と同様に、次回の起動時に、ＡＣ電源Ｅがオフされる直前の状態から光源Ｒに光出力をさせることができる。
【００６０】
−４．状態問合わせ信号受信時の動作−
次に、上記「１．通常動作」中に外部コントローラ８からＣＰＵ２２に対して、状態問い合わせ信号が送信された場合の動作について、図６Ａ，６Ｂを参照しつつ説明する。
【００６１】
照明器具１０は、正常に動作している期間において、状態問合わせ信号の受信が可能である。具体的には、例えば、図３のステップＳ１２のマイコン初期化から、ステップＳ１５のＡＣ電源ＯＦＦ検出がされるまでの間において、状態問合わせ信号の受信及びその応答の処理が可能である。
【００６２】
図６ＡのステップＳ７１において、外部コントローラ８からＣＰＵ２２に状態問合わせ信号が送信されると、ＣＰＵ２２では、受け取った状態問合わせ信号をレジスタ２２ａに格納する（ステップＳ８１）。
【００６３】
ステップＳ８２では、ＣＰＵ２２は、プログラム格納ＲＯＭ２３ａから指示信号解読プログラムを読み込み、状態問合わせ信号をデコードして外部コントローラ８の問合わせ内容を明らかにする。ここでは、データ格納ＲＯＭ２３ｂのデータ読出しのリクエストがあったものとする。以下の説明では、外部コントローラ８からリクエストされたデータをリクエストデータと呼ぶものとする。
【００６４】
ステップＳ８３において、リクエストデータが「最終調光レベル」以外のデータの場合（ステップＳ８３でＹＥＳ）、ＣＰＵ２２は該当するリクエストデータが格納された変数領域からリクエストデータを読み出す（ステップＳ８４）。
【００６５】
そして、ステップＳ８５において、ＣＰＵ２２は、データ格納ＲＯＭ２３ｂから読み出したリクエストデータを送信レジスタ（レジスタ２２ａ）に格納する。送信レジスタのリクエストデータは、通信部３１を介して外部コントローラ８に送信される。これにより、外部コントローラ８は、照明器具１０からリクエストデータを取得することができる（ステップＳ７２）。
【００６６】
一方で、リクエストデータが「最終調光レベル」のデータの場合（ステップＳ８３でＮＯ）、ＣＰＵ２２は、データ格納ＲＯＭ２３ｂの「最終調光レベル」の変数の値を、ＲＡＭ２３ｄに保存されている「最終目標調光レベル」のデータに更新する（図６ＢのステップＳ８７）。その後、ステップＳ８８において、データ格納ＲＯＭ２３ｂから更新された「最終目標調光レベル」のデータを読み出す。
【００６７】
そして、ステップＳ８９において、ＣＰＵ２２は、データ格納ＲＯＭ２３ｂから読み出したリクエストデータを送信レジスタ（レジスタ２２ａ）に格納する。送信レジスタのリクエストデータは、通信部３１を介してコントローラに送信される。これにより、外部コントローラは、照明器具１０からリクエストデータを取得することができる（ステップＳ７３）。
【００６８】
以上のように、本実施形態に係る照明器具１０は、通常動作において、データ格納ＲＯＭ２３ｂにアクセスせずに、ＲＡＭ２３ｄへのアクセスのみで調光動作を完結させる。そして、所定の条件が発生した場合、例えば、光源Ｒへの供給電力の低下及び光源Ｒの異常の少なくとも一方を検出した場合に、発光態様情報が保存された領域としての「最終調光レベル」の変数領域に、データを書き込むようにしている。
【００６９】
これにより、目標調光レベルが変わるたびにデータ格納ＲＯＭ２３ｂへの書き込みをする場合と比較して、調光動作によるデータ格納ＲＯＭ２３ｂへの書き込み回数を大幅に削減することができる。これにより、新たな部品や、不揮発性メモリ部２３ｃの記憶容量を増やすことなく、データの喪失、短命化のリスクを低減することができる。換言すると、所定の容量を確保するために必要な不揮発性メモリ部２３ｃの容量を削減することができるので、コストダウンにつながる、もしくは、多様な情報を記録することができるようになる。
【００７０】
また、本実施形態では、状態問合わせ信号を受信した場合に、発光態様情報としての「最終目標調光レベル」のデータをデータ格納ＲＯＭ２３ｂに保存するようにしている。これにより、状態問合わせ信号に対して、データ格納ＲＯＭ２３ｂのデータを返答する必要がある規格・要望等に対応できる照明器具１０を提供することができる。
【００７１】
また、上記実施形態のステップＳ１５において、ＡＣ電源Ｅのオフ状態が検出された場合には、すでにＡＣ電源Ｅからの電源供給は停止している。しかしながら、本実施形態では、ＡＣ電源Ｅとマイコン２０との間に蓄電素子３５を設けているので、ＣＰＵ２２がプログラム格納ＲＯＭ２３ａに書き込む時間を確保することができる。これにより、光源Ｒが電源オフされる直前の状態から光源Ｒの光出力をさせるような制御と、データ格納ＲＯＭ２３ｂへの書き込み回数の大幅な削減とを両立させることができる。
【００７２】
なお、上記実施形態では、発光態様情報が「最終目標調光レベル」であるものとして説明したが、発光態様情報は「最終目標調光レベル」に限定されず、他の情報であってもよい。
【００７３】
（その他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００７４】
上記実施形態について、以下のような構成としてもよい。
【００７５】
例えば、上記実施形態では、動作指示部（実施形態では外部コントローラ８）が照明器具１０の外側に設けられるものとしたが、これに限定されない。図７から図９に示すように、照明器具１０に動作指示部を内蔵してもよい。
【００７６】
図７では、同じＡＣ電源Ｅからの電源供給を受ける複数の照明器具のうちの一部の照明器具に対して動作指示部が内蔵される例を示している。また、図８では、同じＡＣ電源Ｅから電源供給を受けるすべての照明器具に動作指示部が内蔵される例を示している。
【００７７】
具体的に、図７の照明システムＡは、上記実施形態で説明した照明器具（以下、第１照明器具１０という）と、動作指示部が内蔵された照明器具（以下、第２照明器具１１という）とを備える。図７では、ＰＣ９３と有線で双方向通信が可能に構成された２つの第２照明器具１１と、各第２照明器具１１の後段側に複数の第１照明器具１０が有線で直列に接続されている例を示している。なお、図７において、一部又は全部の通信が無線であってもよい。
【００７８】
図８では、すべての照明器具は、動作指示部が内蔵された第２照明器具１１であり、スマートフォン等の操作端末９４と第２照明器具１１との間、及び、各第２照明器具１１間が無線通信で接続されている例を示している。
【００７９】
図９は、第２照明器具１１のブロック図を示している。図９のブロック図は、図７及び図８の第２照明器具１１で共通である。なお、図９において、図２と共通の構成要素には、同じ符号を付しており、ここでは、相違点を中心に説明する。
【００８０】
前述のとおり、図９では、動作指示部としての内蔵コントローラ８Ａが第２照明器具１１の内部に設けられている。内蔵コントローラ８Ａは、外部の装置（図７ではＰＣ９３、図８では操作端末９４）と有線通信、又は、無線通信を行う通信部８４と、通信部８４を介してユーザー信号ＵＳを受けるユーザー情報ユーザー信号取得部８１と、指示信号生成部８２と、指示信号送信部８３とを備える。また、図２と比較すると、通信部３１が省かれている。
【００８１】
指示信号生成部８２は、ユーザー信号取得部８１で取得したユーザー信号ＵＳに基づいて指示信号ＣＳを生成する。送信部８３は、指示信号生成部８２で生成された指示信号ＣＳを、入出力部２１を介してＣＰＵ２２に送信する。
【００８２】
なお、詳細には説明しないが、上記以外の構成、及び、マイコン２０を中心とした照明器具全体の動作は、前述の「照明器具及び照明システムの動作」と同様である。
【００８３】
すなわち、第１及び第２照明器具１０，１１は、通常動作において、データ格納ＲＯＭ２３ｂにアクセスせずに、ＲＡＭ２３ｄへのアクセスのみで調光動作を完結させることができる。そして、所定の条件が発生した場合、例えば、光源Ｒへの供給電力の低下及び光源Ｒの異常の少なくとも一方を検出した場合に、発光態様情報が保存された領域としての「最終調光レベル」の変数領域に、データを書き込む。
【００８４】
これにより、目標調光レベルが変わるたびにデータ格納ＲＯＭ２３ｂへの書き込みをする場合と比較して、調光動作によるデータ格納ＲＯＭ２３ｂへの書き込み回数を大幅に削減することができる。
【００８５】
また、照明器具は、他の照明器具、又は、外部の機器（ＰＣや操作端末等）から状態問合わせ信号を受信した場合に、発光態様情報としての「最終目標調光レベル」のデータをデータ格納ＲＯＭ２３ｂに保存するようにしている。これにより、状態問合わせ信号に対して、データ格納ＲＯＭ２３ｂのデータを返答する必要がある規格・要望等に対応できる照明器具を提供することができる。
【００８６】
また、ＡＣ電源Ｅとマイコン２０との間に蓄電素子３５を設けているので、ＣＰＵ２２がプログラム格納ＲＯＭ２３ａに書き込む時間を確保することができる。これにより、光源Ｒが電源オフされる直前の状態から光源Ｒの光出力をさせるような制御と、書き込み回数の大幅な削減とを両立させることができる。
【産業上の利用可能性】
【００８７】
本開示の照明器具は、頻繁に調光、調色が求められるような態様、例えば、人間の生体リズムに応じた制御を行うような照明器具や、センサに連動した制御を行うような照明器具に好適に適用することができる。
【符号の説明】
【００８８】
Ａ  照明システム
１０  照明器具
１１  第２照明器具（照明器具）
２２  ＣＰＵ（制御部）
２３  メモリ部（記憶部）
２３ｃ  不揮発性メモリ部（不揮発性メモリ）
２３ｅ  揮発性メモリ部（揮発性メモリ）
３１  通信部
３５  蓄電素子
Ｒ  光源
【図１】
2019175639.tif 000003
【図２】
2019175639.tif 000004
【図３】
2019175639.tif 000005
【図４】
2019175639.tif 000006
【図５】
2019175639.tif 000007
【図６Ａ】
2019175639.tif 000008
【図６Ｂ】
2019175639.tif 000009
【図７】
2019175639.tif 000010
【図８】
2019175639.tif 000011
【図９】
2019175639.tif 000012